(57)【要約】【課題】プローブを移動させて光走査を行うように構成された光音響計測装置において、プローブによる光走査の状態を簡単に検出する。【解決手段】少なくとも一つの表面に、プローブ１１からの光を受けて光音響波を発する所定の２次元パターン５２が形成されたゲルシート５１を用意し、このゲルシート５１を上記光の照射を受けるように計測対象物である被検体５０の上に配置する。このゲルシート５１から発せられた光音響波を検出して、光の主走査方向Ｘおよび副走査方向（プローブ移動方向）Ｙを含む面内における２次元パターン５２の光音響画像を示すパターン検出信号を取得する。そして、このパターン検出信号が示す光音響画像に基づいて、副走査方向Ｙと直交する方向のプローブ１１の位置ズレを求める。【選択図】図２
2014061124.tif 000002
【特許請求の範囲】
【請求項１】
少なくとも一方向に沿って拡がる光を射出し、前記一方向と交わる１次元方向に移動させられて計測対象物を前記光により走査するプローブと、
前記光の走査を受けた前記計測対象物の部分から発せられた光音響波を検出して光音響波検出信号を得、この光音響波検出信号に基づいて前記計測対象物の特性を計測する信号処理部とを備えてなる光音響計測装置において、
前記光の照射を受けるように前記計測対象物の上に配置され、少なくとも一つの表面に、前記光を受けて光音響波を発する所定の２次元パターンが形成されたシート状部材と、
このシート状部材から発せられた光音響波を検出して、前記一方向および１次元方向を含む面内における前記２次元パターンの光音響画像を示すパターン検出信号を得るパターン検出用信号処理部と、
前記パターン検出信号が示す光音響画像に基づいて、前記プローブの前記１次元方向と直交する方向の位置ズレを求める光走査状態判定部とを備えたことを特徴とする光音響計測装置。
【請求項２】
前記光走査状態判定部が、前記パターン検出信号が示す光音響画像に基づいて、前記移動の速度変動も求めるものとされていることを特徴とする請求項１記載の光音響計測装置。
【請求項３】
前記シート状部材の本体部分が、可視域の波長の光を透過させる材料からなり、
前記２次元パターンが、可視域の波長の光を透過させる一方、前記プローブから発せられる光を吸収する材料から形成されていることを特徴とする請求項１または２記載の光音響計測装置。
【請求項４】
前記２次元パターンが、共通の形状の鋸歯状部分が前記１次元方向に沿って繰り返すパターンであることを特徴とする請求項１から３いずれか１項記載の光音響計測装置。
【請求項５】
前記２次元パターンが、前記シート状部材の一表面および他表面のそれぞれに形成されていることを特徴とする請求項１から４いずれか１項記載の光音響計測装置。
【請求項６】
前記パターン検出用信号処理部が、前記シート状部材の一表面および他表面のそれぞれに形成されている２次元パターンの、該シート状部材の厚さ方向を含む面内における光音響画像を示すパターン検出信号も得るように形成され、
前記光走査状態判定部が、前記パターン検出信号が示す、前記シート状部材の厚さ方向を含む面内における光音響画像に基づいて、プローブの傾きも求めるものとされていることを特徴とする請求項５記載の光音響計測装置。
【請求項７】
少なくとも一方向に沿って拡がる光を射出し、前記一方向と交わる１次元方向に移動させられて計測対象物を前記光により走査するプローブと、
前記光の走査を受けた前記計測対象物の部分から発せられた光音響波を検出して光音響波検出信号を得、この光音響波検出信号に基づいて前記計測対象物の特性を計測する信号処理部とを備えてなる光音響計測装置において、
少なくとも一つの表面に、前記光を受けて光音響波を発する所定の２次元パターンが形成されたシート状部材を、前記光の照射を受けるように前記計測対象物の上に配置し、
このシート状部材から発せられた光音響波を検出して、前記一方向および１次元方向を含む面内における前記２次元パターンの光音響画像を示すパターン検出信号を取得し、
前記パターン検出信号が示す光音響画像に基づいて、前記プローブの前記１次元方向と直交する方向の位置ズレを求めることを特徴とする光音響計測装置の光走査状態検出方法。
【請求項８】
前記パターン検出信号が示す光音響画像に基づいて、前記移動の速度変動も求めることを特徴とする請求項７記載の光音響計測装置の光走査状態検出方法。
【請求項９】
請求項７または８記載の光音響計測装置の光走査状態検出方法において、前記光の照射を受けるように前記計測対象物の上に配置されるシート状部材であって、少なくとも一つの表面に、前記光を受けて光音響波を発する所定の２次元パターンが形成されていることを特徴とするシート状部材。
【請求項１０】
本体部分が、可視域の波長の光を透過させる材料からなり、
前記２次元パターンが、可視域の波長の光を透過させる一方、前記プローブから発せられる光を吸収する材料から形成されていることを特徴とする請求項９記載のシート状部材。
【請求項１１】
前記２次元パターンが、共通の形状の鋸歯状部分が前記１次元方向に沿って繰り返すパターンであることを特徴とする請求項９または１０記載のシート状部材。
【請求項１２】
前記２次元パターンが、前記シート状部材の一表面および他表面のそれぞれに形成されていることを特徴とする請求項９から１１いずれか１項記載のシート状部材。
【発明の詳細な説明】
【技術分野】
【０００１】
本発明は光音響画像化装置等の光音響計測装置、特に詳細には、プローブを移動させて光走査を行うように構成された光音響計測装置に関するものである。
【０００２】
また本発明は、上述のような光音響計測装置において、光走査の状態を検出する方法、並びにその方法に用いられるシート状部材に関するものである。
【背景技術】
【０００３】
従来、例えば特許文献１や非特許文献１に示されているように、光音響効果を利用して生体の内部を画像化する光音響画像化装置が知られている。この光音響画像化装置においては、例えばパルスレーザ光等のパルス光が生体内に向けて射出される。このパルス光の照射を受けた生体内部では、パルス光のエネルギーを吸収した生体組織が熱によって体積膨張し、光音響波を発生する。そこで、この光音響波を超音波プローブなどで検出し、それにより得られた電気的信号（光音響信号）に基づいて生体内部を可視像化することが可能となっている。
【０００４】
光音響画像化方法は、特定の吸光体から放射される光音響波のみに基づいて画像を構築するようにしているので、生体における特定の組織、例えば血管等を画像化するのに好適である。そこで光音響画像化方法は、人体の手術中等に血管を画像化、表示して、その位置を確認するために適用することも考えられている。このような用途に光音響画像化方法を適用する場合、従来は例えば特許文献２に示されているように、被検体の２次元領域を示す光音響信号から２次元領域を示すいわゆるボリュームデータを作成し、そのボリュームデータに基づいて任意の断面についての断層画像を構築するようにしている。
【０００５】
ところで、生体等の被検体の広い範囲に亘ってその光音響断層画像を取得するためには、当然、被検体を広い範囲に亘って光走査することが必要になる。そのための光走査方法として、従来、プローブから少なくとも一方向に沿って拡がる光を射出させ、その状態でプローブを上記一方向と交わる１次元方向に移動させることにより、被検体を光で２次元走査する方法が知られている。
【０００６】
このようにプローブを移動させて被検体を光で２次元走査する場合、特にプローブを手操作によって移動させる場合は、本来真っ直ぐにプローブを移動させるべきところ、時々左右に位置ズレを起こした状態でプローブ移動がなされることも多い。このようなプローブの走査位置ズレは、光音響断層画像を１枚ずつ独立して観察するような場合は特に問題を招くことは少ないが、プローブ移動に伴って取得される複数の光音響断層画像から３次元画像を構築するような場合は、得られる３次元画像に歪みを発生させる等の問題を招くことがある。したがってそのような場合は、光走査用プローブの位置ズレを検出して、３次元画像を構築する際に複数の光音響断層画像を、検出した位置ズレに応じて補正することが必要になる。
【０００７】
従来、光音響画像化装置において光走査用プローブの位置を検出する方法としては、例えば特許文献３に示されるように、エンコーダを用いる方法が知られている。
【先行技術文献】
【特許文献】
【０００８】
【特許文献１】特開２００５−２１３８０号公報
【特許文献２】特開２０１１−５０４２号公報
【特許文献３】特開２０１１−１２５４０６号公報
【非特許文献】
【０００９】
【非特許文献１】A High-Speed Photoacoustic Tomography System based on a Commercial Ultrasound and a Custom Transducer Array, Xueding Wang, Jonathan Cannata, Derek DeBusschere, Changhong Hu, J. Brian Fowlkes, and Paul Carson, Proc. SPIE Vol. 7564, 756424 (Feb.23, 2010)
【発明の概要】
【発明が解決しようとする課題】
【００１０】
しかし、上記特許文献３に示された方法は、プローブ位置検出のために別途エンコーダを必要とするので、光走査用プローブが適用されて高度の小型軽量化が求められる光音響画像化装置には不向きであると言える。
【００１１】
以上、光音響画像化装置における問題について説明したが、光音響画像化装置に限らず、プローブを移動させて光走査を行うように構成された光音響計測装置においては、同様の問題が起こり得る。
【００１２】
本発明は上記の事情に鑑みてなされたものであり、プローブを移動させて光走査を行うように構成された光音響計測装置において、エンコーダ等の部品を別途必要とせずに、プローブによる光走査の状態を簡単に検出できる方法を提供することを目的とする。
【００１３】
また本発明は、そのような方法を実施することができる光音響計測装置を提供することを目的とする。
【課題を解決するための手段】
【００１４】
本発明による光音響計測装置は、
少なくとも一方向に沿って拡がる光を射出し、上記一方向と交わる１次元方向に移動させられて計測対象物を前記光により走査するプローブと、
前記光の走査を受けた計測対象物の部分から発せられた光音響波を検出して光音響波検出信号を得、この光音響波検出信号に基づいて計測対象物の特性を計測する信号処理部とを備えてなる光音響計測装置において、
前記光の照射を受けるように計測対象物の上に配置され、少なくとも一つの表面に、前記光を受けて光音響波を発する所定の２次元パターンが形成されたシート状部材と、
このシート状部材から発せられた光音響波を検出して、前記一方向および１次元方向を含む面内における２次元パターンの光音響画像を示すパターン検出信号を得るパターン検出用信号処理部と、
前記パターン検出信号が示す光音響画像に基づいて、プローブの前記１次元方向と直交する方向の位置ズレを求める光走査状態判定部とを備えたことを特徴とするものである。
【００１５】
なお、上記の光走査状態判定部は、前記パターン検出信号が示す光音響画像に基づいて、プローブ移動の速度変動も求める機能を有していることがより望ましい。
【００１６】
他方、上記シート状部材の本体部分は、可視域の波長の光を透過させる材料からなり、そしてそこに形成される２次元パターンは、可視域の波長の光を透過させる一方、プローブから発せられる光を吸収する材料から形成されていることが望ましい。
【００１７】
また上記２次元パターンは、例えば共通の形状の鋸歯状部分が前記１次元方向に沿って繰り返すパターンであることが望ましい。
【００１８】
また上記２次元パターンは、シート状部材の一表面および他表面のそれぞれに形成されていることが望ましい。
【００１９】
なお、そのようにシート状部材の一表面および他表面のそれぞれに２次元パターンが形成されている場合は、
前記パターン検出用信号処理部が、シート状部材の一表面および他表面のそれぞれに形成されている２次元パターンの、該シート状部材の厚さ方向を含む面内における光音響画像を示すパターン検出信号も得るように形成された上で、
光走査状態判定部が、前記パターン検出信号が示す、シート状部材の厚さ方向を含む面内における光音響画像に基づいて、プローブの傾きも求めるものとされていることが望ましい。
【００２０】
一方、本発明による光音響計測装置の光走査状態検出方法は、
少なくとも一方向に沿って拡がる光を射出し、前記一方向と交わる１次元方向に移動させられて計測対象物を前記光により走査するプローブと、
前記光の走査を受けた前記計測対象物の部分から発せられた光音響波を検出して光音響波検出信号を得、この光音響波検出信号に基づいて前記計測対象物の特性を計測する信号処理部とを備えてなる光音響計測装置において、
少なくとも一つの表面に、前記光を受けて光音響波を発する所定の２次元パターンが形成されたシート状部材を、前記光の照射を受けるように計測対象物の上に配置し、
このシート状部材から発せられた光音響波を検出して、前記一方向および１次元方向を含む面内における２次元パターンの光音響画像を示すパターン検出信号を取得し、
前記パターン検出信号が示す光音響画像に基づいて、前記プローブの前記１次元方向と直交する方向の位置ズレを求めることを特徴とするものである。
【００２１】
なお、この本発明による光音響計測装置の光走査状態検出方法においては、さらに、前記パターン検出信号が示す光音響画像に基づいて、プローブ移動の速度変動も求めることがより望ましい。
【００２２】
また本発明は、上述した光音響計測装置の光走査状態検出方法に適用されるシート状部材を提供するものであり、この本発明によるシート状部材は具体的には、プローブから射出される光の照射を受けるように計測対象物の上に配置されるシート状部材であって、少なくとも一つの表面に、上記光を受けて光音響波を発する所定の２次元パターンが形成されていることを特徴とするものである。
【００２３】
この本発明によるシート状部材においては、本体部分が、可視域の波長の光を透過させる材料からなり、そこに形成される２次元パターンが、可視域の波長の光を透過させる一方、プローブから発せられる光を吸収する材料から形成されていることが望ましい。
【００２４】
また上記２次元パターンは、共通の形状の鋸歯状部分が前記１次元方向に沿って繰り返すパターンであることが望ましい。
【００２５】
また上記２次元パターンは、シート状部材の一表面および他表面のそれぞれに形成されていることが望ましい。
【発明の効果】
【００２６】
本発明による光音響計測装置の光走査状態検出方法は、
少なくとも一つの表面に、前記光を受けて光音響波を発する所定の２次元パターンが形成されたシート状部材を、プローブから射出された光の照射を受けるように計測対象物の上に配置し、
このシート状部材から発せられた光音響波を検出して、光の拡がり方向である一方向およびプローブ走査方向である１次元方向を含む面内における２次元パターンの光音響画像を示すパターン検出信号を取得し、
このパターン検出信号が示す光音響画像に基づいて、プローブの上記１次元方向と直交する方向の位置ズレを求めるようにしたので、エンコーダ等の部品を別途用いることなく、光走査の状態を検出可能となる。
【００２７】
また本発明による光音響計測装置は、前述した通り、
少なくとも一方向に沿って拡がる光を射出し、上記一方向と交わる１次元方向に移動させられて計測対象物を前記光により走査するプローブと、
前記光の走査を受けた計測対象物の部分から発せられた光音響波を検出して光音響波検出信号を得、この光音響波検出信号に基づいて計測対象物の特性を計測する信号処理部とを備えてなる光音響計測装置において、
前記光の照射を受けるように計測対象物の上に配置され、少なくとも一つの表面に、前記光を受けて光音響波を発する所定の２次元パターンが形成されたシート状部材と、
このシート状部材から発せられた光音響波を検出して、前記一方向および１次元方向を含む面内における２次元パターンの光音響画像を示すパターン検出信号を得るパターン検出用信号処理部と、
前記パターン検出信号が示す光音響画像に基づいて、プローブの前記１次元方向と直交する方向の位置ズレを求める光走査状態判定部とを備えたものであるので、この光音響計測装置によれば、上述した本発明による光走査状態検出方法を実施可能となる。
【図面の簡単な説明】
【００２８】
【図１】本発明の一実施形態による光音響画像化装置の概略構成を示すブロック図
【図２】図１の光音響画像化装置の一部を示す斜視図
【図３】図１の光音響画像化装置に用いられたシート状部材（ゲルシート）を示す平面図
【図４】上記ゲルシートに形成された２次元パターンの光音響画像を示す概略図
【図５】本発明の光走査状態検出方法に用いられるシート状部材の別の例を示す斜視図
【図６】図５のシート状部材に形成された２次元パターンの光音響画像を示す概略図
【図７】２次元パターンの別の例を示す概略図
【図８】２次元パターンのさらに別の例を示す概略図
【図９】２次元パターンのさらに別の例を示す概略図
【図１０】２次元パターンのさらに別の例を示す概略図
【図１１】本発明を利用した画像データの補正を説明する図
【図１２】本発明を利用した画像データの補正を説明する図
【図１３】本発明を利用した画像データの補正を説明する図
【図１４】本発明を利用した画像データの補正を説明する図
【発明を実施するための形態】
【００２９】
以下、図面を参照して本発明の実施形態を詳細に説明する。図１は、本発明による光音響計測装置の一実施形態である光音響画像化装置１０の基本構成を示すブロック図である。この光音響画像化装置１０は、光音響画像と超音波画像の双方を取得可能に構成されたものであり、超音波探触子（プローブ）１１、超音波ユニット１２、レーザ光源ユニット１３、および画像表示手段１４を備えている。
【００３０】
上記レーザ光源ユニット１３は所定波長のパルスレーザ光を発するもので、そこから、例えば生体組織である被検体５０に向けてパルスレーザ光が射出される。このパルスレーザ光は、図１では射出方向については概略的に示してあるが、例えば複数の光ファイバなどの導光手段を用いてプローブ１１まで導光され、プローブ１１の部分から被検体５０に向けて射出されるのが望ましい。
【００３１】
プローブ１１は、計測対象物である被検体５０に対する超音波の出力（送信）、および被検体５０から反射して戻って来た反射超音波の検出（受信）も行うものである。そのためにプローブ１１は、例えば１次元に配列された複数の超音波振動子を有する。またプローブ１１は、被検体５０内の観察対象物が上記パルスレーザ光を吸収することで生じた超音波（光音響波）を、複数の超音波振動子によって検出する。プローブ１１は、上記光音響波を検出して光音響波検出信号を出力し、また上記反射超音波を検出して超音波検出信号を出力する。
【００３２】
なお、プローブ１１に上述した導光手段が結合される場合は、その導光手段の端部つまり複数の光ファイバの先端部等が、複数の超音波振動子の並び方向に沿って配置され、そこから被検体５０に向けてレーザ光が射出される。以下では、このように導光手段がプローブ１１に結合される場合を例に取って説明する。
【００３３】
被検体５０の光音響画像あるいは超音波画像を取得する際、プローブ１１は複数の超音波振動子が並ぶ方向に対してほぼ直角な方向に移動され、それにより被検体５０がレーザ光および超音波によって２次元走査される。この走査は、検査者が手操作でプローブ１１を動かして行ってもよく、あるいは、走査機構を用いてより精密な２次元走査を実現するようにしてもよい。
【００３４】
超音波ユニット１２は、受信回路２１、ＡＤ変換手段２２、受信メモリ２３、データ分離手段２４、光音響画像再構成手段２５、検波・対数変換手段２６、および光音響画像構築手段２７を有している。
【００３５】
上記受信回路２１は、プローブ１１が出力した前記光音響波検出信号および超音波検出信号を受信する。ＡＤ変換手段２２はサンプリング手段であり、受信回路２１が受信した光音響波検出信号および超音波検出信号をサンプリングして、それぞれデジタル信号である光音響データおよび超音波データに変換する。このサンプリングは、例えば外部から入力されるＡＤクロック信号に同期して、所定のサンプリング周期でなされる。
【００３６】
また超音波ユニット１２は、上記データ分離手段２４の出力を受ける超音波画像再構成手段４０に加えて、検波・対数変換手段４１、超音波画像構築手段４２、この超音波画像構築手段４２および前記光音響画像構築手段２７の出力を受ける画像合成手段４３を有している。この画像合成手段４３の出力は、例えばＣＲＴや液晶表示装置等からなる画像表示手段１４に入力される。さらに超音波ユニット１２は、送信制御回路３０、および超音波ユニット１２内の各部等の動作を制御する制御手段３１を有している。
【００３７】
上記ＡＤ変換手段２２が出力した光音響データあるいは超音波データは、一旦受信メモリ２３に格納された後、データ分離手段２４に入力される。データ分離手段２４は入力された光音響データと超音波データとを互いに分離し、光音響データは光音響画像再構成手段２５に入力させ、超音波データは超音波画像再構成手段４０に入力させる。
【００３８】
レーザ光源ユニット１３は、Ｔｉ：Ｓａｐｐｈｉｒｅレーザ等からなるＱスイッチパルスレーザ３２と、その励起光源であるフラッシュランプ３３とを備えた固体レーザユニットである。なお以下では、特に血管を示す光音響画像を取得する場合を例に挙げて説明するが、その場合レーザ光源ユニット１３としては、血管において良好に吸収される波長のパルスレーザ光を発するものが選択利用される。
【００３９】
このレーザ光源ユニット１３は、上記制御手段３１から光射出を指示する光トリガ信号を受けると、フラッシュランプ３３を点灯させてＱスイッチパルスレーザ３２を励起する。制御手段３１は、例えばフラッシュランプ３３がＱスイッチパルスレーザ３２を十分に励起させると、Ｑスイッチトリガ信号を出力する。Ｑスイッチパルスレーザ３２は、Ｑスイッチトリガ信号を受けるとそのＱスイッチをオンにし、パルスレーザ光を射出させる。
【００４０】
ここで、フラッシュランプ３３の点灯からＱスイッチパルスレーザ３３が十分な励起状態となるまでに要する時間は、Ｑスイッチパルスレーザ３３の特性などから見積もることができる。なお、上述のように制御手段３１からＱスイッチを制御するのに代えて、レーザ光源ユニット１３内において、Ｑスイッチパルスレーザ３２を十分に励起させた後にＱスイッチをオンにしてもよい。その場合は、Ｑスイッチをオンにしたことを示す信号を超音波ユニット１２側に通知してもよい。
【００４１】
また制御手段３１は、送信制御回路３０に、超音波送信を指示する超音波トリガ信号を入力する。送信制御回路３０はこの超音波トリガ信号を受けると、プローブ１１から超音波を送信させる。制御手段３１は、先に前記光トリガ信号を出力し、その後、超音波トリガ信号を出力する。光トリガ信号が出力されることで被検体５０に対するレーザ光の射出、および光音響波の検出が行われ、その後、超音波トリガ信号が出力されることで被検体５０に対する超音波の送信、および反射超音波の検出が行われる。
【００４２】
制御手段３１はさらに、ＡＤ変換手段２２に対して、サンプリング開始を指示するサンプリングトリガ信号を出力する。このサンプリングトリガ信号は、前記光トリガ信号が出力された後で、かつ超音波トリガ信号が出力される前、より好ましくは被検体５０に実際にレーザ光が照射されるタイミングで出力される。そのためにサンプリングトリガ信号は、例えば制御手段３１がＱスイッチトリガ信号を出力するタイミングに同期して出力される。ＡＤ変換手段２２は上記サンプリングトリガ信号を受けると、プローブ１１が出力して受信回路２１が受信した光音響波検出信号のサンプリングを開始する。
【００４３】
制御手段３１は、光トリガ信号を出力した後、光音響波の検出を終了するタイミングで超音波トリガ信号を出力する。このとき、ＡＤ変換手段２２は光音響波検出信号のサンプリングを中断せず、サンプリングを継続して実施する。言い換えれば、制御手段３１は、ＡＤ変換手段２２が光音響波検出信号のサンプリングを継続している状態で、超音波トリガ信号を出力する。超音波トリガ信号に応答してプローブ１１が超音波送信を行うことで、プローブ１１の検出対象は、光音響波から反射超音波に変わる。ＡＤ変換手段２２は、検出された超音波検出信号のサンプリングを継続することで、光音響波検出信号と超音波検出信号とを連続的にサンプリングする。
【００４４】
ＡＤ変換手段２２は、サンプリングして得られた光音響データおよび超音波データを、共通の受信メモリ２３に格納する。受信メモリ２３に格納されたサンプリングデータは、ある時点までは光音響データであり、ある時点からは超音波データとなる。データ分離手段２４は、受信メモリ２３に格納された光音響データと超音波データとを分離し、光音響データを光音響画像再構成手段２５に入力し、超音波データを超音波画像再構成手段４０に入力する。
【００４５】
以下、超音波画像および光音響画像の生成、表示について説明する。超音波画像再構成手段４０は、プローブ１１が有する複数の超音波振動子毎のデータとなっている上記超音波データを加算して、１ライン分の超音波断層画像データを生成する。検波・対数変換手段４１はこの超音波断層画像データの包絡線を生成し、次いでその包絡線を対数変換してダイナミックレンジを広げた後、このデータを超音波画像構築手段４２に入力する。超音波画像構築手段４２は、検波・対数変換手段４１が出力した各ラインのデータに基づいて超音波断層画像（超音波エコー画像）を生成する。すなわちこの超音波画像構築手段４２は、例えば前述した超音波検出信号のピーク部分の時間軸方向の位置が、断層画像における深さ方向の位置に変換されるようにして超音波断層画像を生成する。
【００４６】
以上の処理は、プローブ１１の走査移動に伴って逐次なされ、それにより、被検体５０の走査方向に亘る複数箇所に関する超音波断層画像が生成される。そしてこれらの超音波断層画像を担持する画像データは、画像合成手段４３に入力される。なお、超音波断層画像のみを単独で表示したい場合は、超音波断層画像を担持する上記画像データが画像合成手段４３を素通りさせて画像表示手段１４に送られ、この画像表示手段１４に超音波断層画像が表示される。
【００４７】
次に、光音響画像の生成および表示について説明する。光音響画像再構成手段２５には、データ分離手段２４において超音波データと分離された光音響データ、つまり、血管に吸収される波長のパルスレーザ光を被検体５０に照射して得られた光音響データが入力される。光音響画像再構成手段２５は、プローブ１１が有する複数の超音波振動子毎のデータとなっている上記光音響データを加算して、１ライン分の光音響画像データを生成する。検波・対数変換手段２６はこの光音響画像データの包絡線を生成し、次いでその包絡線を対数変換してダイナミックレンジを広げた後、このデータを光音響画像構築手段２７に入力する。光音響画像構築手段２７は、各ライン毎の光音響画像データに基づいて光音響画像を生成する。すなわちこの光音響画像構築手段２７は、例えば光音響画像データのピーク部分の時間軸方向の位置が、断層画像における深さ方向の位置に変換されるようにして光音響断層画像を生成する。
【００４８】
以上の処理は、プローブ１１の走査移動に伴って逐次なされ、それにより、被検体５０の走査方向に亘る複数箇所に関する光音響画像が生成される。そしてこれらの光音響画像を担持する画像データは画像合成手段４３に入力され、そこで前述の超音波断層画像を担持する画像データと合成され、合成されたデータが担持する画像が画像表示手段１４に表示される。この合成されたデータに基づいて表示される画像は、超音波断層画像内に、光音響画像である血管画像が示されたものとなる。なお、この血管画像は所定の色で着色して、他の部分と明確に区別されるようにしてもよい。
【００４９】
ここで、前述したようにしてプローブ１１を走査移動させる際、特に手操作によって走査移動させる際には、移動軌跡が真っ直ぐにならないでプローブ１１が左右にズレたり、さらには、移動速度が変動したりすることがある。走査がこのような状態でなされても、被検体５０の１つの断面に関する光音響画像や超音波画像を観察する上では、特に問題が生じることは少ないが、複数の断面に関する光音響画像や超音波画像から３次元画像を構成するような場合は、３次元画像の歪み等の問題が生じるおそれがある。
【００５０】
そこで本装置においては、プローブ１１の位置ズレや移動速度変動を検出可能としている。以下、その点について説明する。図２は、プローブ１１による光走査を受ける被検体５０の部分を示すものである。ここに示される通り被検体５０の上には、画像化する範囲を覆い得る大きさのゲルシート５１が載置され、プローブ１１はこのゲルシート５１の上を滑動するようにして走査移動される。なお、図中矢印Ｘで示す方向が前述した光ファイバの先端部等からなる光射出部の並び方向（複数の超音波振動子の並び方向と同方向）、つまり光走査の主走査方向であり、それとほぼ直交するプローブ１１の移動方向つまり矢印Ｙ方向が副走査方向となる。
【００５１】
ゲルシート５１の本体部分は、可視域の波長の光、プローブ１１から発せられる超音波および、被検体５０から発せられる光音響波を透過させるゲル状材料からシート状に形成されたものであり、その厚さは例えば５〜１０ｍｍ程度とされている。被検体５０の超音波画像を取得する場合、被検体５０のプローブ１１に近接した部分は画像化され難いという問題が認められているが、このゲルシート５１をスペーサとして作用するカプリング部材とし、被検体５０の表面からある程度離れた位置でプローブ１１を走査移動させれば、被検体５０の表面に近い部分も確実に画像化されるようになる。
【００５２】
また、ゲルシート５１の左右両端部には、それぞれ２次元パターン５２が形成されている。これらの２次元パターン５２は、上記主走査方向Ｘおよび副走査方向Ｙに延びる成分を有するパターンであり、本実施形態では一例として、共通の形状の鋸歯状部分がゲルシート５１の左右側縁に沿って繰り返すパターンとされている。これらの２次元パターン５２は、ゲルシート５１が所定の向きで被検体５０の表面上に載置されると、上記複数の鋸歯状部分が副走査方向Ｙに沿って繰り返す状態となる。
【００５３】
そして２次元パターン５２は、ゲルシート５１が被検体５０の上に置かれても、被検体５０が容易に観察できるように可視域の波長の光は透過させ、またプローブ１１から発せられる例えば近赤外域の波長のパルスレーザ光は吸収する物質を用いて形成されている。そのような物質としては、例えば特開２００９−２１０９２９号公報に示されている近赤外吸収フィルタを構成する物質（特定の化学構造を有するチアゾールシアニン塩化合物）、LI-COR Biosciences社製のIRdye 800(IRdyeは登録商標)、金ナノロッド、酸化物ナノ粒子、蛍光ナノ粒子、QCR Solutions Corp.社製のNIR790B等を適用することができる。
【００５４】
被検体５０の光音響断層画像を取得する際に、被検体５０に向けてパルスレーザ光を射出させると、ゲルシート５１の２次元パターン５２がパルスレーザ光を吸収するので、光音響効果によりこの２次元パターン５２の部分からも光音響波が発せられる。そしてこの光音響波も、被検体５０の部分から発せられた光音響波と同様に、プローブ１１によって検出される。
【００５５】
図１に示した検波・対数変換手段２６が出力するデータは、前述した通り光音響画像構築手段２７に入力されると共に、走査面内画像構築手段６０に入力される。この走査面内画像構築手段６０は、要素２１〜２６と共に本発明におけるパターン検出用信号処理部を構成するものであり、検波・対数変換手段２６から入力されたデータに基づいて、走査面内（つまり主走査方向Ｘおよび副走査方向Ｙを含む面内）における２次元パターン５２の光音響画像を構築する。なお主走査方向Ｘが、パルスレーザ光が拡がる一方向であり、副走査方向Ｙが、プローブ１１が移動する１次元方向である。
【００５６】
上記２次元パターン５２の光音響画像を示すデータは、次に光走査状態判定手段６１に入力され、ここで後述の通りにして光走査状態つまりプローブ１１の移動状態が判定される。この判定の結果は、記憶手段６２に記憶される。
【００５７】
ここで図４を参照して、上記走査面内における２次元パターン５２の光音響画像について説明する。この図４は、仮に２次元パターン５２の光音響画像が再生表示された場合はどのような形状になるかを示したものであり、図中の実線５２Ｇと、破線５２Ｇ′および５２Ｇ″がそれぞれ光音響画像を示している。また図中のｔ１、ｔ２、ｔ３・・・・ｔｎ、ｔ（ｎ＋１）、ｔ（ｎ＋２）・・・・は、前述したようにして生成される光音響断層画像の断層位置を模式的に示している。
【００５８】
もし、プローブ１１の移動が所定の副走査方向Ｙに真っ直ぐになされ、かつ、その移動速度も厳密に一定であれば、そのとき生成される２次元パターン５２の光音響画像は、実際の２次元パターン５２の形状を再現して、図中実線５２Ｇで示すようなものとなる。それに対して、プローブ１１の移動が真っ直ぐになされずに左右方向（主走査方向Ｘ）にズレた状態でなされると、そのとき生成される２次元パターン５２の光音響画像は、図中破線５２Ｇ′で示すようなものとなる。この図４の例の場合は、プローブ１１が所定位置よりも図中右側にズレてなされたため、光音響画像５２Ｇ′は２次元パターン５２の左端近傍部分が欠けたものとなっている。
【００５９】
また、プローブ１１の移動速度が変動すると、そのとき生成される２次元パターン５２の光音響画像は、副走査方向Ｙに沿って間延びしたり、あるいは反対に縮んだりして、例えば図中破線５２Ｇ″で示すようなものとなる。このような状態になると、２次元パターン５２の鋸歯状部分の角度が、プローブ１１の移動速度が所定の一定値であると比べて変化することになる。この図４の例の場合は、プローブ１１の移動速度が所定速度よりも大であるため、光音響画像５２Ｇ″が間延びしたものとなっている。
【００６０】
なお図４では、以上説明した通り、プローブ１１の左右位置ズレが生じた場合と、移動速度変動が生じた場合とを個別に示しているが、もちろん、これらの左右位置ズレと移動速度変動とが複合して生じることもあり得る。そのようになった場合は当然、２次元パターン５２の光音響画像は、それらの左右位置ズレと移動速度変動との双方を反映したものになる。また、ゲルシート５１における左右の２次元パターン５２の列のズレにより、プローブ１１のＸ−Ｙ平面内での回転角も知ることができる。なお、左右の２次元パターンは互いに同じでも、あるいは異なっていてもよいし、さらには同じパターンであって位相が互いに異なるものでもよい。
【００６１】
図１に示す光走査状態判定手段６１は、走査面内画像構築手段６０から２次元パターン５２の光音響画像を示すデータが入力されると、そのデータに基づいてプローブ１１の移動状態を判定する。すなわち光走査状態判定手段６１は、２次元パターン５２の光音響画像を示すデータに基づいて、副走査方向Ｙの各位置における光音響画像の、正常な光音響画像５２Ｇに対する左右位置ズレ量ＤＬおよび角度ズレ量Ｄθ（図４参照）を求め、それを副走査方向位置と対応付けて記憶手段６２に記憶させる。
【００６２】
複数の断面に関する光音響断層画像や超音波断層画像から３次元画像を構成するような場合は、上記左右位置ズレ量ＤＬおよび角度ズレ量Ｄθに基づいて、副走査方向位置毎の光音響断層画像や超音波断層画像を補正することにより、プローブ１１の走査状態不良に起因する３次元画像の歪みを解消可能となる。なお、３次元画像を構築してから、ズレ量を補正してもよい。
【００６３】
ここで図１１〜１４を参照して、上述のような補正に関して基本的なことを説明する。この例では、プローブ１１を副走査方向Ｙに移動させ、それに応じて次々と複数のフレームＦに関する光音響断層画像情報が取得されるものとする。そして、プローブ１１の走査状態不良に起因して、他のフレームＦとは向きが異なる断面に関するフレームＦ（太線で示す）の光音響断層画像情報が取得されてしまう場合を仮定して考える。
【００６４】
またここでは一例として、図１２に示すように、血管が延びている状態を上方から（プローブ１１側から）見て画像化する場合を考え、同図では横線で示す各フレーム中の血管位置をハッチング付きの丸で示している。なおこのような画像は、補正の前に実際に可視化されるものではなく、その段階で得られているボリュームデータが担持している画像が実際どのようになっているかを考えたものが同図である。
【００６５】
図１２では、楕円で囲んだ上から２番目と３番目のフレームの向きが不正になっており、その不正を補正せずに単純にフレームを並べて画像化すると、それらの画像における血管の状態は、図１３に示すように歪んだものになってしまう。
【００６６】
そこで、上記画像の歪みを解消するために、本発明によって求められる位置ズレ（つまりプローブ１１の移動方向Ｙと直交する方向の位置ズレ）に基づいて、画像データを補正する。図１４はこの補正を説明するものである。ここでは、各フレームにおける画像データをＡ１、Ａ２、Ａ３、Ａ４、・・・・として考える。まず、画像データＡ１とＡ２とから上記位置ズレに基づいて補間データＡ２’を生成し、また画像データＡ２とＡ３とから上記位置ズレに基づいて補間データＡ３’を生成する。なお同図において、画像データＡ２、Ａ３による血管位置は白丸で示し、補間データＡ２’、Ａ３’による血管位置は黒丸で示している。そして本来の画像データＡ２を補間データＡ２’に置き換え、また本来の画像データＡ３を補間データＡ３’に置き換えれば、実際に血管が延びている状態を正確に示す画像データの集合が得られることになる。
【００６７】
なお実際に適用する補間方法としては、高速な処理が要求される場合は線形補間もしくは最近傍点近似が適しており、高精度な画像が必要とされる場合はスプライン補間が適しているが、特にこれらに限定されるものではない。
【００６８】
以上、本発明の一つの実施形態について説明したが、本発明の光音響計測装置および光走査状態検出方法は上記実施形態にのみ限定されるものではなく、上記実施形態の構成から種々の修正および変更を施したものも、本発明の範囲に含まれる。
【００６９】
例えば、上記実施形態に使用されたゲルシート５１においては、その一表面のみに２次元パターン５２が形成されているが、図５に示すようにゲルシート５１の一表面および他表面のそれぞれに、互いに等しい形状の２次元パターン５２、５３を形成してもよい。そのようなゲルシート５１を使用した場合は、図１の光音響画像構築手段２７が構築する光音響断層画像（これは、ゲルシート５１の厚さ方向を含む面内における光音響画像である）において、図６に示すように２次元パターン５２、５３の光音響画像５２Ｇ、５３Ｇが示される。
【００７０】
２次元パターン５２、５３が互いに等しいものであれば、それらの光音響画像５２Ｇ、５３Ｇは通常、画像中で同じ左右方向位置に示されることになる。しかし、プローブ１１が斜めに保持された場合は、図中の光音響画像５３Ｇ′のように、別の光音響画像５２Ｇに対して左右方向位置がズレて示されるようになる。このようになった場合、２つの光音響画像５２Ｇ、５３Ｇ′を結ぶ線の傾きφは、プローブ１１の斜め保持角度と対応する。そこでこの傾きφに基づいて、プローブ１１の斜め保持による光音響画像の角度不正を補正することも可能になる。なお、上述のような傾きφは、例えば図１に示した光走査状態判定手段６１において求めることができる。
【００７１】
また以上説明した実施形態においては、所定の厚さを有するゲルシート５１が適用されているが、２次元パターンを形成するシート状部材に対して前述したスペーサとしての作用を求めない場合は、シート状部材を例えば薄いプラスチックシート等から形成しても構わない。
【００７２】
さらに２次元パターンとしては、上記実施形態における形状のものに限らず、その他の形状のものも適用可能である。基本的には、副走査方向にプローブを移動させたときに、主走査方向の位相が変化するようなパターンであれば全て適用可能である。例えば図７に示すように山、谷が繰り返すサインカーブ等の曲線からなる２次元パターン１５２や、図８に示すように複数の円が副走査方向に連なる２次元パターン２５２等も適用可能である。さらには、図９に示すように、鋸歯状部分の副走査方向ピッチが変化するような２次元パターン３５２も適用可能である。
【００７３】
なお、上記図９に示す２次元パターン３５２を適用する場合は、互いにピッチが異なる鋸歯状部分に各々例えば「１」と「０」を表現させることで、副走査方向のアドレス情報を埋め込むことも可能になる。つまり図９の２次元パターン３５２では、ピッチが大の部分を「１」、小の部分を「０」とすることにより、「１００１」を示すことができる。ただしこの２次元パターン３５２を適用したとき、プローブの走査速度（移動速度）にバラツキが多い場合は、得られたパターン検出信号から「１」と「０」を正確にデコードできない可能性もある。この点に対応するためには、図１０に示すように、鋸歯状部分の一部に二重部が無いものと有るものとからなる２次元パターン４５２を用い、例えば二重部が無い鋸歯状部分で「１」を示し、二重部が有る鋸歯状部分で「０」を示すようにしてもよい。
【符号の説明】
【００７４】
１０    光音響画像化装置
１１    プローブ
１２    超音波ユニット
１３    レーザ光源ユニット
１４    画像表示手段
１５    導光手段
２１    受信回路
２２    ＡＤ変換手段
２３    受信メモリ
２４    データ分離手段
２５    光音響画像再構成手段
２６、４１    検波・対数変換手段
２７    光音響画像構築手段
３０    送信制御回路
３１    制御手段
３２    Ｑスイッチレーザ
３３    フラッシュランプ
４０    超音波画像再構成手段
４２    超音波画像構築手段
４３    画像合成手段
５０    被検体
５１    ゲルシート
５２、５３、１５２、２５２、３５２、４５２    ２次元パターン
５２Ｇ、５２Ｇ′、５２Ｇ″、５３Ｇ、５３Ｇ′    ２次元パターンの光音響画像
６０    走査面内画像構築手段
６１    光走査状態判定手段
６２    記憶手段
【図１】
2014061124.tif 000003
【図２】
2014061124.tif 000004
【図３】
2014061124.tif 000005
【図４】
2014061124.tif 000006
【図５】
2014061124.tif 000007
【図６】
2014061124.tif 000008
【図７】
2014061124.tif 000009
【図８】
2014061124.tif 000010
【図９】
2014061124.tif 000011
【図１０】
2014061124.tif 000012
【図１１】
2014061124.tif 000013
【図１２】
2014061124.tif 000014
【図１３】
2014061124.tif 000015
【図１４】
2014061124.tif 000016